(57)【要約】【課題】メイン情報の記録と同時にレーベル情報の記録を行うのに用いる光ピックアップ装置を提供することを課題とする。【解決手段】第１レーザー光源１により発光される第１レーザー光と第２レーザー光源２により発光される第２レーザー光とで対物レンズ１３の主点からの焦点距離を信号記録媒体のメイン情報信号が記録される信号層３９及びレーベル層４４間の距離に対応させて異ならせ、第１レーザー光源１及び第２レーザー光源２を同時に駆動した際に第１レーザー光及び第２レーザー光をそれぞれ信号層３９及びレーベル層４４に同時に合焦させるようにしている。【選択図】図１
2006099817.tif 000002
【特許請求の範囲】
【請求項１】
第１及び第２レーザー光をそれぞれ発光する第１及び第２レーザー光源を備え、単一の対物レンズに前記第１及び第２レーザー光を入射する構成であり、レーザー光の照射によりレーベル情報が可視画像により記録可能なレーベル層を備える信号記録媒体の前記レーベル層へのレーベル情報記録を行うレーザー光を出射させる光ピックアップ装置であって、第１レーザー光と第２レーザー光とで対物レンズの主点からの焦点距離を信号記録媒体のメイン情報信号が記録される信号層及び前記レーベル層間の距離に対応させて異ならせ、前記第１及び第２レーザー光源を同時に駆動した際に前記第１及び第２レーザー光をそれぞれ信号層及びレーベル層に同時に合焦させるようにしたことを特徴とする光ピックアップ装置。
【請求項２】
第１及び第２レーザー光源からそれぞれ発光される第１及び第２レーザー光は互いに相違する波長であり、第２レーザー光源により発光される第２レーザー光は、第１レーザー光源により発光される第１レーザー光より信号層までの透明基板の厚みが厚い信号記録媒体に適合する長波長であり、この適合する信号記録媒体に対する信号層における信号記録あるいは及び信号再生に用いられることを特徴とする請求項１記載の光ピックアップ装置。
【請求項３】
請求項１記載の光ピックアップ装置において、第１レーザー光を信号記録媒体の信号層に合焦させるべくフォーカス制御することにより第２レーザー光の焦点を信号記録媒体の信号層から所定距離離間するレーベル層に実質的に合焦させることを特徴とする光ピックアップ装置のフォーカス制御方法。
【請求項４】
ビームスプリッタにより前記第１及び第２レーザー光源を相違する光路上に配置すると共に、前記第１及び第２レーザー光源から対物レンズまでのそれぞれの光路長を異ならせ、第１レーザー光をこの第１レーザー光に適合する平行光で対物レンズに入射すると共に、第２レーザー光をこの第２レーザー光に適合する所定の拡がり角で対物レンズに入射するようにしたことを特徴とする請求項１記載の光ピックアップ装置。
【請求項５】
ビームスプリッタと第２レーザー光源との間に対物レンズにより合焦される第２レーザー光の光路長を調整する光路長調整光学素子を配置し、信号記録媒体により反射された第２レーザー光を検出する光検出器からの検出出力により得られるフォーカスエラー信号に応じて前記光路長調整光学素子を制御することを特徴とする請求項４記載の光ピックアップ装置。
【請求項６】
前記光路長調整光学素子は液晶レンズにより構成され、この液晶レンズの液晶の位相を制御して信号層及びレーベル層の間隔のばらつきを吸収するべく第２レーザー光の光路長を調整することを特徴とする請求項５記載の光ピックアップ装置。
【請求項７】
第２レーザー光源と信号記録媒体により反射された第２レーザー光の反射光を受光する光検出器とが同一パッケージ内に収納される受発光ユニットにより構成されると共に、信号記録媒体により反射された第２レーザー光の反射光を第２レーザー光源から発光される第２レーザー光の光路から分離させて前記光検出器に導く光路分離光学素子が設けられたことを特徴とする請求項４記載の光ピックアップ装置。
【発明の詳細な説明】
【技術分野】
【０００１】
本発明は、レーザー光の照射によりレーベル情報を可視画像により記録可能なレーベル層を備える信号記録媒体の前記レーベル層へのレーベル情報記録を行うレーザー光を出射させる光ピックアップ装置に関し、特に、単一の対物レンズに互いに相違する第１及び第２波長の各レーザー光が入射される構成の光ピックアップ装置に関する。
【０００２】
また、本発明は、上述の光ピックアップ装置において所定のレーザー光を信号記録媒体のレーベル層にフォーカスを合わせる光ピックアップ装置におけるフォーカス制御方法に関する。
【背景技術】
【０００３】
現在、ＤＶＤ(Digital Versatile Disc)の記録再生を行うＤＶＤドライブ装置が普及しているが、このＤＶＤドライブ装置においてはＣＤ（Compact Disc）との互換を確保しているため、これらのＤＶＤドライブ装置に使用する光ピックアップ装置としては、ＤＶＤの記録密度に適した波長のレーザービームを発光するレーザーダイオード及びＣＤの記録密度に適した波長のレーザービームを発光するレーザーダイオードのレーザー発光波長の異なる２種類のレーザー光源を用意し、扱うディスクの記録密度に応じて使用する光源の切り換えを行うことにより単一の光ピックアップ装置によって記録密度が異なるＤＶＤ及びＣＤに対応させている。
【０００４】
ところで、ＤＶＤとＣＤとでは、信号層までの透明基板の厚みがそれぞれ０．６ｍｍと１．１ｍｍであり略１：２と大きく異なり、ＤＶＤ及びＣＤ対応の光ピックアップ装置においては、各ディスクにそれぞれ適合される光学特性となるように対物レンズに要求されるＮＡ（numerical aperture）が異なる。その為、単一の対物レンズによりＤＶＤ及びＣＤにそれぞれ対応させる場合、それぞれに適合するＮＡに対応する２焦点を有する対物レンズを用いることで実現される。
【０００５】
ところで、ディスクに記録した内容が把握できるようにその内容に則ったレーベル情報をディスクに表示することが行われる。
【０００６】
レーベル情報をディスクに表示するには、レーベル情報を印刷したり、手書きされることにより行われることが多かったが、最近、ディスクに光ピックアップ装置により照射されるレーザ光により感熱されるレーベル層を設けてディスクにレーベル情報を可視画像により記録する技術が開発されている(例えば、特許文献１参照)。
【特許文献１】特開２００２−２０３３２１号公報
【発明の開示】
【発明が解決しようとする課題】
【０００７】
ところで、ディスクにレーベル情報の可視画像を記録するタイミングは、現在のところ、ディスクにメイン情報の信号記録を行った後を想定しているが、メイン情報の記録と同時にレーベル情報の記録が行えれば、時間的に有利であると共に、レーベル情報記録の操作の手間が省け、また、メイン情報記録とレーベル情報記録とを誤まりなくマッチングさせることが出来る。その為、メイン情報の記録と同時にレーベル情報の記録を行うのに用いる光ピックアップ装置の要求がある。
【０００８】
本発明は、この要求に応える光ピックアップ装置及びフォーカス制御方法を提供するこ
とを課題とする。
【課題を解決するための手段】
【０００９】
請求項１に係る発明は、第１レーザー光源により発光される第１レーザー光と第２レーザー光源により発光される第２レーザー光とで対物レンズの主点からの焦点距離を信号記録媒体のメイン情報信号が記録される信号層及び前記レーベル層間の距離に対応させて異ならせ、前記第１及び第２レーザー光源を同時に駆動した際に前記第１及び第２レーザー光をそれぞれ信号層及びレーベル層に同時に合焦させるようにしている。
【００１０】
請求項３に係る発明では、第１レーザー光を信号記録媒体の信号層に合焦させるべくフォーカス制御することにより第２レーザー光の焦点を信号記録媒体の信号記録層から所定距離離間するレーベル層に実質的に合焦させる。
【００１１】
請求項４に係る発明では、ビームスプリッタにより前記第１及び第２レーザー光源を相違する光路上に配置すると共に、前記第１及び第２レーザー光源から対物レンズまでのそれぞれの光路長を異ならせ、第１レーザー光をこの第１レーザー光に適合する平行光で対物レンズに入射すると共に、第２レーザー光をこの第２レーザー光に適合する所定の拡がり角で対物レンズに入射するようにし、第１レーザー光に対して対物レンズによる収差を抑制するようにすると共に、所定位置にある対物レンズに対して第１レーザー光における焦点位置と第２レーザー光における焦点位置との間隔を信号層及びレーベル層間に対応させて拡大し、第１及び第２レーザー光をそれぞれ同時に信号層及びレーベル層に合焦可能としている。
【００１２】
請求項５に係る発明では、ビームスプリッタと第２レーザー光源との間に対物レンズにより合焦される第２レーザー光の光路長を調整する光路長調整光学素子を配置し、信号記録媒体により反射された第２レーザー光を検出する光検出器からの検出出力に応じて前記光路長調整光学素子を制御し、第２レーザー光の光路長変化により信号層及びレーベル層の間隔のばらつきを吸収するようにしている。
【発明の効果】
【００１３】
本発明に依れば、第１及び第２レーザー光源を同時に駆動した際に第１及び第２レーザー光を信号記録媒体に有する信号層及びレーベル層にそれぞれ同時に合焦させるようにしているので、信号記録あるいは信号再生と同時にレーベル情報の記録を行うことが可能なレーザー記録ドライブに対応する光ピックアップ装置が提供できる。
【００１４】
この場合、レーベル情報の記録を行う第２レーザー光源により発光される第２レーザー光は、第１レーザー光源により発光される第１レーザー光より信号層までの透明基板の厚みが厚い信号記録媒体に適合する長波長であり、第２レーザー光源をこの適合する信号記録媒体に対する信号記録あるいは及び信号再生とレーベル情報の記録とに兼用することが出来る。
【００１５】
また、第１レーザー光を信号記録媒体の信号層に合焦させるべくフォーカス制御することにより第２レーザー光の焦点を信号記録媒体の信号層から所定距離離間するレーベル層に実質的に合焦させるので、複数のフォーカス制御機構及びフォーカス制御回路系を必要としないで簡潔な構成により信号層及びレーベル層にそれぞれ同時に実質的に相違するレーザー光を合焦させるようにした光ピックアップ装置及び光ピックアップ装置のフォーカス制御方法が達成できる。
【００１６】
第１レーザー光をこの第１レーザー光に適合する平行光で対物レンズに入射すると共に、第２レーザー光をこの第２レーザー光に適合する所定の拡がり角で対物レンズに入射す
るようにし、第１レーザー光に対して対物レンズによる収差を抑制するようにすると共に、所定位置にある対物レンズに対して第１レーザー光における焦点位置と第２レーザー光における焦点位置との間隔を拡大し、信号層及びレーベル層間を第１及び第２レーザー光をそれぞれ信号層及びレーベル層に同時に合焦可能である間隔とする実現可能な信号記録媒体に対応する光ピックアップ装置が提供できる。
【００１７】
信号記録媒体により反射された第２レーザー光を検出する光検出器からの検出出力に応じて第２レーザー光の光路長を調整する光路長調整光学素子を制御するようにしているので、第２レーザー光の光路長変化により信号層及びレーベル層の間隔のばらつきを吸収することができる。
【００１８】
前記光路長調整光学素子を液晶レンズにより構成すると、液晶レンズの液晶を電気的に駆動すれば良いので、液晶レンズは固定して設置され、第２レーザー光の光路長を調整するための光学素子を光軸方向に変位させる駆動機構を必要としないので、簡単な構成の光ピックアップ装置により達成できる。
【００１９】
第２レーザー光源と信号記録媒体により反射された第２レーザー光の反射光を受光する光検出器とが同一パッケージ内に収納される受発光光学ユニットを使用しているので、第２レーザー光の光路長を第１レーザー光の光路長と相違させた場合において、その光路長に相違に起因する光検出器までの光路を第１レーザー光及び第２レーザー光で独立した光学系が容易に達成できる。
【実施例】
【００２０】
図１は本発明の一実施例を示す光ピックアップ装置の光学系を示す光学配置図である。
【００２１】
図１に示す光ピックアップ装置は、ＤＶＤ及びＣＤに対応する構成となっており、ＤＶＤに適した赤色波長帯６４５ｎｍ〜６７５ｎｍの第１波長、例えば６５０ｎｍのレーザー光を発光する第１レーザーダイオード１ａから構成されるレーザーユニット１と、ＣＤに適した赤外波長帯７６５ｎｍ〜８０５ｎｍの第２波長、例えば７８０ｎｍのレーザー光を発光する第２レーザーダイオード２ａを備える受発光ユニット２とを備えている。
【００２２】
受発光ユニット２は、第２レーザーダイオード２ａと共に、ディスクにより反射される第２レーザー光の反射光を受光する光検出器３とが同一パッケージ内に収められており、このパッケージの窓に第２レーザー光の反射光を第２レーザーダイオード２ａから発光される第２レーザー光の光路から分離させて前記光検出器３に導く光路分離を行う回折格子が形成された光路分離素子となるホログラム素子４が設置されている。光路分離用の回折格子はホログラム素子４のディスク側の面に形成されており、このホログラム素子４の第２レーザーダイオード２ａ側の面にはトラッキング制御に用いられる３ビームに分離する回折格子も形成されている。
【００２３】
レーザーユニット１の第１レーザーダイオード１ａにより発光される第１波長の第１レーザー光は、回折格子６によりトラッキング制御に使用される±１次回折光を形成するべく回折され、その後、１／２波長板７により偏光方向がディスクの透明基板における複屈折が少なくなる方向に調整されて偏光プリズム８の偏光フィルタ面８ａに透過方向から供給される。この偏光フィルタ面８ａは１／２波長板７により調整された偏光方向の第１レーザー光を透過するような膜特性に設定され、その為、第１レーザー光は偏光プリズム８の偏光フィルタ面８ａを透過し、コリメータレンズ９を介して平行光に変換された後、平行平板型のビームスプリッタ１０に透過方向から供給される。
【００２４】
このビームスプリッタ１０はレーザーユニット１と受発光ユニット２とを別光路に配置
する役割を担っており、受発光ユニット２からの第２レーザー光を反射する反射面となるビームスプリッタ１０のフィルタ面１０ａは波長選択性のあるダイクロイックフィルタ特性を有し、６５０ｎｍの第１レーザー光が略全透過であると共に、７８０ｎｍの第２レーザー光が略全反射である反射・透過コートが施されている。
【００２５】
その為、第１レーザーダイオード１ａにより発光される第１レーザー光はビームスプリッタ１０を透過して立上げミラー１１による反射により光軸が直角に折曲され、その後、６５０ｎｍの第１レーザー光に対してのみ有効に作用する波長選択性のある１／４波長板１２を介して対物レンズ１３に入射され、該対物レンズ１３により収束されてディスクＤに照射される。
【００２６】
ディスクＤにより変調されて反射された第１レーザー光は対物レンズ１３に戻り、来た光路を経由してビームスプリッタ１０を透過し、コリメータレンズ９を介して偏光プリズム８に戻される。
【００２７】
この偏光プリズム８に戻される第１レーザー光は、第１レーザー光に対してのみ有効に作用する波長選択性のある１／４波長板１２をディスクＤへの往路と復路で２度通過するので、偏光方向が１／２波長回転されている。その為、ディスクＤへの往路ではｐ偏光であった第１レーザー光がｓ偏光となって偏光プリズム８に入射される。その為、前記偏光プリズム８に戻された第１レーザー光は、偏光フィルタ面８ａにより反射され、フォーカスエラー成分を発生させるための非点収差成分を付与するアナモフィックレンズ１４を介して光検出器１５に導かれる。
【００２８】
前記光検出器１５は、ディスクＤにより反射された第１レーザー光を複数の受光領域に分割された受光面に受光して、ＤＶＤの記録信号、フォーカシング制御信号及びトラッキング制御信号、あるいはチルト制御信号を生成するのに必要な各種受光出力を前記複数の各受光領域から発生する。これらの受光領域の各受光出力が演算されることによりＤＶＤの記録信号、フォーカシング制御信号及びトラッキング制御信号、あるいはチルト制御信号が生成される。
【００２９】
一方、受発光ユニット２の第２レーザーダイオード２ａから発光される第２レーザー光は、ホログラム素子４を介して３ビームに分離されて受発光ユニット２から出射され、ダイバージェントレンズ１６により拡がり角が調整された後、更に液晶レンズ１７、１／２波長板１８を介してビームスプリッタ１０のフィルタ面１０ａに照射され光軸が曲げられる。該ビームスプリッタ１０のフィルタ面１０ａにより曲げられた第２レーザー光は、更に立ち上げミラー１１により反射されてディスク面に対して光軸が垂直方向に曲げられ、１／４波長板１２を介して対物レンズ１３に入射され、該対物レンズ１３により収束されてディスクＤに照射される。
【００３０】
ここで、対物レンズ１３は入射面に回折格子（図示せず）を有しており、この回折格子と対物レンズ１３自体の非球面形状による屈折との兼ね合いによりＤＶＤ及びＣＤの波長の異なる各レーザー光に対して各ディスクの記録再生に適した所期の特性が発揮されるようになっている。この場合、ＤＶＤに適合する第１レーザー光を平行光により所定領域で入射し、ＣＤに適合する第２レーザー光を所定の拡がり角により所定領域で入射してそれぞれＤＶＤ及びＣＤの記録再生に適したＮＡ及び収差補正されたレーザースポットが得られるように所期の特性が発揮される。
【００３１】
ディスクＤの信号面により変調されて反射された第２レーザー光は対物レンズ１３に戻り、１／４波長板１２及び立ち上げミラー１１を介してビームスプリッター１０に戻され、該ビームスプリッター１０のフィルタ面１０ａで反射され、１／２波長板１８、液晶レ
ンズ１７を介して更にダイバージェントレンズ１６を介して受発光ユニット２に戻される。
【００３２】
この受発光ユニット２に戻されたレーザービームは、ホログラム素子４により光軸が曲げられて光検出器３に受光される。
【００３３】
このように受発光ユニット２内に配置される第２レーザーダイオード２ａから発光されるＣＤに対応するレーザービームは、受発光ユニット２内の光検出器３により受光され、該光検出器３によりＣＤの記録信号が得られると共に、ＣＤに対応したフォーカシング制御及びトラッキング制御に用いられる各制御信号が得られる。
【００３４】
尚、液晶レンズ１７は液晶配列により位相変化度合いを同心円状に段階的に変化させて小さいパワーであるがレンズ作用を持たせる設計が施されている。
【００３５】
ここで、後述するフォーカスサーボ系の説明の為にディスクの構造について説明する。
【００３６】
図２はＤＶＤ−Ｒ／ＤＶＤ＋Ｒ及びＣＤ−ＲのＲ系記録ディスクの断面構造を模式的に示す説明図であり、ＤＶＤ−Ｒ／ＤＶＤ＋Ｒの場合は半面ディスクの２枚の貼り合わせ構造であるが、その半面ディスク１枚のみを示す形となる。
【００３７】
図２に示す如く、Ｒ系記録ディスクは光ピックアップ装置からのレーザー光が入射される入射面側から順に透明基板層３１、記録層３２、反射層３３及び保護層３４が積層される構造となっている。
【００３８】
図３はＤＶＤ及びＣＤの再生専用ディスクの断面構造を模式的に示す説明図であり、ＤＶＤの場合は半面ディスクの２枚の貼り合わせ構造であるが、その半面ディスク１枚のみを示す形となる。
【００３９】
図３に示す如く、再生専用ディスクは光ピックアップ装置からのレーザー光が入射される入射面側から順に透明基板層３５、反射層３６及び保護層（ＤＶＤの貼り合わせディスクの場合、スペース層）３７が積層される構造となっており、前記反射層３６にピット及びランドによりメイン情報信号が記録されている。
【００４０】
図４はＤＶＤ−Ｒ／ＤＶＤ＋Ｒに可視画像により記録可能なレーベル層を備える記録ディスクの断面構造を模式的に示す説明図であり、このＤＶＤの場合は相違する構造の半面ディスクを２枚の貼り合わせた構造を示している。
【００４１】
図４に示す如く、レーベル層を備える記録ディスクは光ピックアップ装置からのレーザー光が入射される入射面側から順に第１透明基板層３８、記録層３９、反射層４０、第１保護層４１、接着剤層４２、第２透明基板層４３、レーベル層４４及び第２保護層４５が積層される構造となっている。
【００４２】
図３及び図４において、記録層は有機色素により構成され、この記録層３２，３９には位置情報データが記録されたプリグルーブが螺旋状に形成されており、レーザー光が収束されて照射されることにより発生する熱により有機色素が分解されて記録ピットが形成されてメイン情報信号が記録され、この記録層３２，３９が特許請求の範囲でいう信号層に相当する。
【００４３】
また、図２乃至図４において、反射層３３，３６，４０はディスクに入射されるレーザー光が光検出器１５，３により受光される光強度が十分になるように設けられており、図
２に示す再生専用ディスクの場合、反射層３６にメイン情報信号を記録した記録ピットが形成されており、この反射層３６が特許請求の範囲でいう信号層に相当する。
【００４４】
また、図４において、反射層４０は半透明となっていると共に、接着剤層４２は透明となっており、入射面側から入射される第２レーザー光がレーベル層４４に到達され、レーベル層４４には第２レーザー光が収束されて照射されることにより発生する熱に感熱作用を有する感熱剤により構成され、この感熱剤の変色作用によって可視画像が形成される。
【００４５】
次に、光ピックアップ装置におけるフォーカスサーボ系を説明する。
【００４６】
ＤＶＤ系の光検出器１５の所定の受光領域から得られる各受光出力はＤＶＤ用フォーカスエラー信号生成回路（以下、ＤＶＤ用ＦＥ信号生成回路と約す）２０により所定の演算処理が施され、該ＤＶＤ用ＦＥ信号生成回路２０はＤＶＤ系の第１レーザーダイオード１ａにより発光される第１レーザー光におけるＤＶＤの信号層（記録ディスクにおける記録層３２，３９、再生専用ディスクにおける反射層３６）に対する焦点誤差に対応するフォーカスエラー信号（ＦＥ信号）を生成する。
【００４７】
一方、ＣＤ系の受発光ユニット２内の光検出器３の所定の受光領域から得られる各受光出力はＣＤ用フォーカスエラー信号生成回路（以下、ＣＤ用ＦＥ信号生成回路と約す）２１により所定の演算処理が施され、該ＣＤ用ＦＥ信号生成回路２１はＣＤ系の受発光ユニット２内の第２レーザーダイオード２ａから発光される第２レーザー光におけるＣＤの信号層（記録ディスクにおける記録層３２、再生専用ディスクにおける反射層３６）に対する焦点誤差に対応するフォーカスエラー信号（ＦＥ信号）を生成する。
【００４８】
ＤＶＤ用ＦＥ信号生成回路２０及びＣＤ用ＦＥ信号生成回路２１により生成される各ＦＥ信号はフォーカスサーボ回路２２に供給される。該フォーカスサーボ回路２２は記録あるいは再生するディスクの種別を示すディスク識別信号に対応して受け入れるＦＥ信号を選択すると共に、その選択されるＦＥ信号のディスク種別に応じて適切なイコライザ設定に切り換えられ、ディスク種別に対応する適切なフォーカスサーボを実行させるフォーカスサーボ信号を発生する。
【００４９】
フォーカスサーボ回路２２からのフォーカスサーボ信号はフォーカスアクチュエータドライバ２３に供給され、フォーカス駆動信号が対物レンズ１３のアクチュエータ（図示せず）のフォーカスコイル２４に供給される。その為、前記アクチュエータの動作により対物レンズ１３がフォーカスサーボ信号に基づいて駆動される。
【００５０】
ところで、上述した構成の光ピックアップ装置は、第２レーザーダイオード２ａから発光される第２レーザー光に感熱してレーベル情報記録が可能なレーベル層４４を備えるディスク（図４参照）に対してレーベル情報記録が行えるようになっている。
【００５１】
レーベル層４４を備えるＤＶＤにおいて、レーベル情報記録を行う場合、レーベル情報生成回路２５からディスクに書き込む可視画像（文字含む）に対応するレーベル情報信号が出力され、レーザー制御回路２６によりこのレーベル情報信号に基づくレーザー制御信号（パルス信号）がレーザードライバ２７に供給される。その為、第２レーザーダイオード２ａからレーベル情報信号に対応する第２レーザー光が発光される。この第２レーザー光はＣＤにおける信号層（記録ディスクにおける記録層３２、再生専用ディスクにおける反射層３６）への記録再生を行う第２レーザー光と同一経路を通ってＤＶＤに照射される。
【００５２】
ところで、レーベル情報記録は第１レーザーダイオード１ａから発光される第１レーザ
ー光によるＤＶＤの信号層（記録ディスクにおける記録層３２，３９、再生専用ディスクにおける反射層３６）に対する信号記録あるいは信号再生と同時に行われる。その為、ＤＶＤのフォーカスサーボ系が動作し、第１レーザー光はＤＶＤの信号層に合焦するように対物レンズ１３が駆動され、フォーカスサーボが行われる。
【００５３】
ＤＶＤとＣＤとでは相違するレーザー光の波長に起因して、及び信号層までの透明基板の厚みの相違に基づいた光学設計に起因して定位置にある対物レンズ１３により収束される第１レーザー光と第２レーザー光の焦点距離が相違するので、ＤＶＤへの記録再生を行うＤＶＤのフォーカスサーボ状態において、第２レーザー光の合焦点は第１レーザー光の合焦点より遠い位置となる。
【００５４】
そして、レーベル情報の記録時には光路長調整回路２８から発生される光路長調整信号に応じて液晶ドライバ２９が動作し、液晶レンズ１７が凹レンズとして作用されるようになることにより第２レーザー光の合焦点と第１レーザー光の合焦点との距離が拡大され、第１レーザー光がＤＶＤの信号層に合焦する状態で、第２レーザー光の合焦点がＤＶＤのレーベル記録層の標準位置に合致されるようになる。
【００５５】
すなわち、レーザーユニット１の第１レーザーダイオード１ａにより発光される第１レーザー光と受発光ユニット２の第２レーザーダイオード２ａにより発光される第２レーザー光とで対物レンズ１３の主点Ｏからの焦点距離が信号層（記録層３９）及びレーベル層４４間の距離分ｄ異なり、第１レーザーダイオード１ａ及び第２レーザーダイオード２ａを同時に駆動した際に第１レーザー光及び第２レーザー光がそれぞれＤＶＤに有する信号層及びレーベル層にそれぞれ同時に合焦されるようになっている。
【００５６】
レーベル情報記録時において、ＣＤ用ＦＥ信号生成回路２１は受発光ユニット２内の光検出器３により受光される所定の受光出力を用いて第２レーザー光の合焦点とＤＶＤのレーベル記録層４４とのフォーカスエラー信号を生成し、このフォーカスエラー信号が光路長調整回路２８に供給されるので、液晶レンズ１７は前記フォーカスエラー信号を「０」に近づけるべく凹レンズ作用のパワー強度が変化されるように液晶ドライバ２９により駆動される。すなわち、液晶レンズ１７により第１レーザー光のＤＶＤの信号層へのフォーカス制御と独立して第２レーザー光がＤＶＤのレーベル記録層４４にフォーカス制御される。
【００５７】
この第２レーザー光のＤＶＤのレーベル記録層４４へのフォーカス制御は、液晶レンズ１７内の液晶素子の反応速度を考慮してディスクの面ぶれ対応が困難な場合は液晶レンズ１７の凹レンズ作用のパワー強度をディスクごとに設定すれば、ディスクごとのばらつきに対応させることが出来、液晶レンズ１７の凹レンズ作用のパワー強度をディスクの記録再生位置の径方向の所定位置ごとに設定すれば、ディスクの径方向におけるディスクのそりに対応させることが出来る。
【００５８】
このような場合、第２レーザー光を常時ＤＶＤのレーベル記録層４４にフォーカス制御する場合に比べてＤＶＤのレーベル記録層４４の感熱感度を高めて設定し、第２レーザー光のＤＶＤのレーベル記録層４４に対して発生するフォーカスズレを許容して前記レーベル記録層４４へのレーベル情報記録を行わせる。この場合においての第２レーザー光の許容範囲のフォーカスズレは本発明における合焦とみなす。
【００５９】
尚、レーベル情報記録はメイン情報信号記録ほど高精細である必要がないので、高精細度に関しては許容範囲内のフォーカスズレにより第２レーザー光のスポット径が大きくなることは問題ない。
【００６０】
したがって、第１レーザー光をＤＶＤの信号層３９に合焦させた状態で、第２レーザー光をＤＶＤのレーベル記録層４４に合焦させることが出来るので、第１レーザー光によりＤＶＤの信号層３９にメイン情報信号を記録しながら、あるいは前記信号層３９のメイン情報信号を再生しがら、第２レーザー光によりＤＶＤのレーベル記録層４４へのレーベル情報記録を行える。
【００６１】
一方、レーベル層へのレーベル情報記録を伴わない通常のＤＶＤの記録再生時において、第１レーザーダイオード１ａにより発光される第１レーザー光が対物レンズ１３によりＤＶＤの信号層（記録ディスクにおける記録層３２，３９、再生専用ディスクにおける反射層３６）に収束させるべく光検出器１５からの前記第１レーザー光の反射光に基づく各受光出力に応じてアクチュエータにより対物レンズ１３が光軸方向に駆動されてフォーカス制御が行われ、これによりＤＶＤの信号層に焦点を合わせて前記第１レーザー光を照射して前記信号層に対する記録再生を行う。
【００６２】
また、前記光ピックアップ装置は、通常のＣＤの記録再生時において、受発光ユニット２の第２レーザーダイオード２ａから発光される第２レーザー光が対物レンズ１３によりＣＤの信号層（記録ディスクにおける記録層３２、再生専用ディスクにおける反射層３６）に収束させるべく受発光ユニット２の光検出器３からの前記第２レーザー光の反射光に基づく各受光出力に応じてフォーカス制御が行われ、これによりＣＤの信号層に焦点を合わせて前記第２レーザー光を照射して前記信号層に対する記録再生を行う。
【図面の簡単な説明】
【００６３】
【図１】本発明の一実施例を示す光ピックアップ装置における光学系及びフォーカスサーボ系を示すブロック図である。
【図２】Ｒ系記録ディスクの断面構造を説明する説明図である。
【図３】再生専用ディスクの断面構造を説明する説明図である。
【図４】記録可能なレーベル層を備える記録ディスクを説明する説明図である。
【符号の説明】
【００６４】
１        レーザーユニット
１ａ      第１レーザーダイオード
２        受発光ユニット
２ａ      第２レーザーダイオード
４        ホログラム素子
６        回折格子
８        偏光プリズム
９        コリメータレンズ
１０        ビームスプリッタ
１３        対物レンズ
１５        光検出器
１７        液晶レンズ
２０        ＤＶＤ用ＦＥ信号生成回路
２１        ＣＤ用ＦＥ信号生成回路
２２        フォーカスサーボ回路
２３        フォーカスアクチュエータドライバ
２５        レーベル情報生成回路
２６        レーザー制御回路
２７        レーザードライバ
２８        光路長調整回路
２９        液晶ドライバ
３２，３９        記録層（信号層）
３６        反射層（信号層）
４４        レーベル層
【図１】
2006099817.tif 000003
【図２】
2006099817.tif 000004
【図３】
2006099817.tif 000005
【図４】
2006099817.tif 000006